(57)【要約】【課題】生産性を向上させやすいコードリールを提供する。【解決手段】コードリール１は、リール２とフレーム３と電源コード４とコンセントモジュール５とを備える。リール２は、筒状の胴部２１と、胴部２１の軸方向Ｘの両端部に配される側板部２２とを有する。フレーム３は、リール２を回転自在に支持している。電源コード４は、外部の電源に差し込み可能な電源プラグを一端に備える。電源コード４は、胴部２１の外周部に巻き取ることができるよう構成されている。コンセントモジュール５は、取付板６及び複数の出力コンセント７を有する。取付板６は、胴部２１の外周部に形成された開口部に取り付けられている。複数の出力コンセント７は、電源コード４の他端が接続されている。複数の出力コンセント７は、取付板６に形成された複数の挿入穴に配されている。取付板６は、開口部を胴部２１の外周側から塞ぐよう、胴部２１に取り付けられている。【選択図】図１
0003227253.tif 000002
【実用新案登録請求の範囲】
【請求項１】
筒状の胴部と、前記胴部の軸方向の両端部に配される側板部とを有するリールと、
前記リールを回転自在に支持するフレームと、
外部の電源に差し込み可能な電源プラグを一端に備えるとともに、前記胴部の外周部に巻き取られる電源コードと、
前記胴部の外周部に形成された開口部に取り付けられた取付板、及び、前記電源コードの他端が接続されるとともに前記取付板に形成された複数の挿入穴に配された複数の出力コンセントを有するコンセントモジュールと、を備え、
前記取付板は、前記開口部を前記胴部の外周側から塞ぐよう、前記胴部に取り付けられている、コードリール。
【請求項２】
前記取付板には、外周側に突出するとともに前記軸方向に延在するリブが設けられており、
複数の前記出力コンセントは、前記リブを間に介して、リール回転方向の両側に分かれて配されている、請求項１に記載のコードリール。
【請求項３】
前記取付板には、前記各出力コンセントの不使用時に前記各出力コンセントを覆うコンセントカバーが取り付けられており、
前記コンセントカバーは、前記取付板に取り付けられる長尺状の被取付部と、前記出力コンセントを覆うコンセントカバー本体とを有し、
前記コンセントカバーの前記被取付部は、前記リブを挟んで前記出力コンセントの反対側の前記取付板の部位に固定されるとともに、前記リブに設けられた貫通孔を通って前記リブの前記出力コンセント側に配された前記コンセントカバー本体に接続されている、請求項２に記載のコードリール。
【請求項４】
前記コンセントモジュールにおけるリール回転方向の端部には、前記コンセントモジュールを開閉可能なモジュールカバーが回動可能に取り付けられており、
前記モジュールカバーは、前記コンセントモジュールを覆う向きに付勢されており、かつ、前記コンセントモジュールを露出させた状態で前記フレームにおける前記胴部の外周側において前記軸方向に形成された被係止部に係止することができるよう構成されている、請求項１〜３のいずれか一項に記載のコードリール。
【考案の詳細な説明】
【技術分野】
【０００１】
本考案は、コードリールに関する。
【背景技術】
【０００２】
コードリールは、例えば、電気器具を商用電源の電源コンセントから離れた場所で使用するとき等に用いられる。コードリールは、筒状の胴部及び胴部の両端に配された側板部を備えたリールと、リールの胴部に巻き取られる電源コードと、前記電源コードから給電される出力コンセントとを備える。コードリールは、電源コードの電源プラグを商用電源の電源コンセントに差し込み、コードリールの出力コンセントに電気器具のプラグを差し込むことで、電源と電気器具との間を中継する。
【０００３】
かかるコードリールには、電源コードをリールに巻いたままの状態で使用できる負荷電流、消費電力の制限値が定められている。そして、この制限値を超えてコードリールを使用する場合は、電源コードをリールから全て引き出して使用することがコードリールの正しい使用方法として定められている。この正しい使用方法は、例えばコードリールの表面や取扱説明書等に記載されることで、使用者に注意喚起される。
【０００４】
しかしながら、使用者によっては、かかる正しい使用方法に反して、電源コードを必要分だけリールから引き出し、残りはリールに巻き取られた状態で使用する場合が考えられる。このような状態で長時間電源コードに通電し続けると、電源コードの胴部に巻き取られている部分の放熱性が悪く、当該部分が過度に高温になるおそれが考えられる。
【０００５】
そこで、リールに電源コードの一部が巻き取られた状態でコードリールが使用されることを防止するために、特許文献１に記載されたコードリールは、出力コンセントをリールの側板部ではなく胴部に設けている。これにより、特許文献１に記載のコードリールは、電源コードをリールから全て引き出さなければ使用できないようになっている。
【先行技術文献】
【特許文献】
【０００６】
【特許文献１】実開昭６３−０８３９１７号公報
【考案の概要】
【考案が解決しようとする課題】
【０００７】
特許文献１に記載のコードリールにおいては、出力コンセントを胴部の内周側から胴部に取り付けている。しかしながら、この場合、出力コンセントを胴部に取り付け難く、コードリールの生産性を向上させ難い。
【０００８】
本考案は、かかる課題に鑑みてなされたものであり、生産性を向上させやすいコードリールを提供しようとするものである。
【課題を解決するための手段】
【０００９】
本考案の一形態は、筒状の胴部と、前記胴部の軸方向の両端部に配される側板部とを有するリールと、
前記リールを回転自在に支持するフレームと、
外部の電源に差し込み可能な電源プラグを一端に備えるとともに、前記胴部の外周部に巻き取られる電源コードと、
前記胴部の外周部に形成された開口部に取り付けられた取付板、及び、前記電源コードの他端が接続されるとともに前記取付板に形成された複数の挿入穴に配された複数の出力コンセントを有するコンセントモジュールと、を備え、
前記取付板は、前記開口部を前記胴部の外周側から塞ぐよう、前記胴部に取り付けられている、コードリールにある。
【考案の効果】
【００１０】
本態様のコードリールは、胴部の外周部に形成された開口部に取り付けられた取付板、及び、電源コードの他端が接続されるとともに取付板に形成された複数の挿入穴に配された複数の出力コンセントを有するコンセントモジュールを備える。それゆえ、コンセントモジュールを胴部に取り付けることにより、一度に複数の出力コンセントを胴部に組み付けることができ、生産性の向上を図ることができる。
【００１１】
また、取付板は、開口部を胴部の外周側から塞ぐよう、胴部に取り付けられている。それゆえ、コンセントモジュールを胴部の外側から組み付けることができ、生産性の向上を図りやすい。
【００１２】
ここで、単にコンセントモジュールを胴部の外側から組み付けた場合、コンセントモジュールが胴部から外周側に突出し過ぎてしまい、胴部への電源コードの巻取りが阻害されるおそれがある。そこで、本態様においては、胴部の外周部に開口部を設け、当該開口部にコンセントモジュールを組み付けている。これにより、コンセントモジュールが胴部から外周側に突出し過ぎることを防止することができ、胴部への電源コードの巻取りが阻害されることを防止することができる。
【００１３】
以上のごとく、前記態様によれば、生産性を向上させやすいコードリールを提供することできる。
【図面の簡単な説明】
【００１４】
【図１】実施形態１における、モジュールカバーが開いた状態のコードリールの正面図。
【図２】実施形態１における、モジュールカバーが開いた状態のコードリールの側面図。
【図３】実施形態１における、コンセントモジュールを取り外したコードリールの正面図。
【図４】実施形態１における、コンセントモジュールの斜視図。
【図５】実施形態１における、コンセントモジュールの平面図。
【図６】実施形態１における、コンセントモジュールの取付板の平面図。
【図７】図６の、VII−VII線矢視断面図。
【図８】実施形態１における、出力コンセントの側面図。
【図９】図８における視点とは異なる視点から見た出力コンセントの図。
【図１０】実施形態１における、モジュールカバーが閉じた状態のコードリールの正面図。
【図１１】図１０の、XI−XI線矢視断面図。
【図１２】実施形態１における、モジュールカバーをフレームの把持部に引っ掛けた状態のコードリールの側面図。
【考案を実施するための形態】
【００１５】
（実施形態１）
コードリールの実施形態につき、図１〜図１２を用いて説明する。
本形態のコードリール１は、図１に示すごとく、リール２とフレーム３と電源コード４とコンセントモジュール５とを備える。リール２は、筒状の胴部２１と、胴部２１の軸方向Ｘの両端部に配される側板部２２とを有する。フレーム３は、リール２を回転自在に支持している。図２に示すごとく、電源コード４は、外部の電源に差し込み可能な電源プラグ４１を一端に備える。電源コード４は、胴部２１の外周部に巻き取ることができるよう構成されている。
【００１６】
図１、図４、図５に示すごとく、コンセントモジュール５は、取付板６及び複数の出力コンセント７を有する。図１、図３、図１１に示すごとく、取付板６は、胴部２１の外周部に形成された開口部２１０に取り付けられている。複数の出力コンセント７は、電源コード４の他端が接続されている。複数の出力コンセント７は、取付板６に形成された複数の挿入穴６０に配されている。取付板６は、開口部２１０を胴部２１の外周側から塞ぐよう、胴部２１に取り付けられている。
以後、本形態のコードリール１につき詳説する。
【００１７】
本例においては、コードリール１が地面等に設置された姿勢において、鉛直方向となる方向を上下方向Ｚという。また、単に軸方向Ｘといったときは、筒状の胴部２１の中心軸が延びる方向を意味するものとする。軸方向Ｘは、リール２の後述の回転軸部３３が延在する方向と同じ方向である。軸方向Ｘは、上下方向Ｚと直交している。以後、リール２の回転方向をリール回転方向Ｒという。
【００１８】
図１、図３に示すごとく、リール２は、胴部２１と一対の側板部２２とを有する。胴部２１は、軸方向Ｘに延びる円筒状に形成されており、一対の側板部２２は、胴部２１を軸方向Ｘの両側から塞ぐよう設けられている。側板部２２には、コードリール１の使用者が、電源コード４をリール２に巻き取る際に掴んでリール２を回転させるための取手２２１が設けられている。
【００１９】
図３、図１１に示すごとく、胴部２１は、円筒の一部を軸方向Ｘに切り欠いた形状を有し、この切り欠かれた形状の部分が開口部２１０となっている。胴部２１におけるリール回転方向Ｒの開口部２１０の両端部には、コンセントモジュール５を取り付けるための一対の開口縁部２１１が形成されている。一対の開口縁部２１１は、互いに同一平面上に形成されているとともに、図３に示すごとく、コンセントモジュール５を締結するためのボルト挿通孔２１１ａを備える。図１１に示すごとく、一対の開口縁部２１１上（すなわち外周側の面）にコンセントモジュール５が載置される。そして、コンセントモジュール５は、開口縁部２１１のボルト挿通孔２１１ａにボルト締結されている。
【００２０】
図４、図５に示すごとく、コンセントモジュール５は、開口縁部２１１に締結される取付板６と、当該取付板６に取り付けられた３つの出力コンセント７と、を備える。
【００２１】
図４、図５に示すごとく、取付板６は、平面状に形成された基礎板部６１と、基礎板部６１に設けられたリブ６２と、リブ６２の両端に接続された一対の端壁６３とを備える。
【００２２】
図４、図５に示すごとく、基礎板部６１は、軸方向Ｘに長尺な長方形板状に形成されている。図１１に示すごとく、基礎板部６１は、一対の開口縁部２１１と平行な板状に形成されている。基礎板部６１は、開口部２１０を覆うことができるよう開口部２１０よりも大きく形成されている。基礎板部６１は、一対の開口縁部２１１に載置されて、基礎板部６１の四隅において開口縁部２１１にボルト締結されている。基礎板部６１から外周側に向かってリブ６２が形成されている。
【００２３】
図１、図４、図５に示すごとく、リブ６２は、リール回転方向Ｒに厚みを有する板状に形成されているとともに、軸方向Ｘに延在している。リブ６２は、リール回転方向Ｒにおける基礎板部６１の中央位置に形成されている。リブ６２は、軸方向Ｘにおける取付板６の一端から他端までにわたって形成されている。そして、軸方向Ｘにおけるリブ６２の両端は、軸方向Ｘにおける取付板６の両端部に形成された端壁６３に接続されている。
【００２４】
図４に示すごとく、端壁６３は、リブ６２との接続部に近い位置ほど突出量が大きくなる円弧状に形成されている。端壁６３におけるリブ６２との接続部は、リブ６２よりも外周側に若干突出している。端壁６３及び胴部２１の外形は、これらを軸方向Ｘから見たときに円形となるよう形成されている。
【００２５】
図６に示すごとく、基礎板部６１におけるリブ６２の両側には、出力コンセント７をそれぞれ挿入する３つの挿入穴６０が、基礎板部６１の厚み方向に貫通形成されている。３つの挿入穴６０は、軸方向Ｘの一方側から他方側に向かって、基礎板部６１におけるリブ６２の両側の領域に交互に配されている。これに伴い、３つの挿入穴６０に挿入された３つの出力コンセント７は、図４、図５に示すごとく、軸方向Ｘの一方側から他方側に向かって、基礎板部６１におけるリブ６２の両側の領域に交互に配されている。なお、挿入穴６０及びこれに挿入される出力コンセント７からなる組は合計で３組存在するが、互いに同様の構成を有するため特に断らない限り１つの組について説明する。
【００２６】
図６、図７に示すごとく、挿入穴６０の内壁は係止凸部６０１を有する。また、図８、図９に示すごとく、出力コンセント７は、係止凸部６０１を挿入可能に構成されるとともに、挿入された係止凸部６０１と挿入穴６０の周方向に係止する係止溝部７２１を有する。図６、図７に示すごとく、挿入穴６０の内壁に設けられた係止凸部６０１は、挿入穴６０の周方向に長尺に形成されており、挿入穴６０の内壁から挿入穴６０の内周側に突出するよう形成されている。図７に示すごとく、係止凸部６０１には、挿入穴６０の貫通方向の一方側に突出した突出部６０１ａが形成されている。そして、図８、図９に示すごとく、出力コンセント７に形成された係止溝部７２１は、挿入穴６０の係止凸部６０１を挿入穴６０の周方向の一方側から挿入可能な溝状に形成されている。そして、係止溝部７２１は、係止凸部６０１の突出部６０１ａを係止するための凹部７２１ａを有する。
【００２７】
出力コンセント７は、次のように挿入穴６０に固定される。まず、出力コンセント７が挿入穴６０にまっすぐ挿入される。そして、出力コンセント７の係止溝部７２１内に挿入穴６０の係止凸部６０１を挿入させるよう出力コンセント７を挿入穴６０に対して回転させる。そして、係止凸部６０１の突出部６０１ａが係止溝部７２１の凹部７２１ａに挿入されることにより、係止凸部６０１と係止溝部７２１とが挿入穴６０の周方向に互いに係合し、出力コンセント７が挿入穴６０に固定される。ここで、係止溝部７２１は、出力コンセント７における後述の弾性変形可能なコンセントケース７２の外周部に形成されている。係止溝部７２１に係止凸部６０１を係合させる際、係止溝部７２１が係止凸部６０１によって押し広げられるよう弾性変形しながら係止凸部６０１が係止溝部７２１に係合する。
【００２８】
図４、図５に示すごとく、出力コンセント７は、コンセント本体７１と、コンセント本体７１を覆う弾性変形可能なコンセントケース７２とを備える。コンセント本体７１は、コンセントの差込口を備える。差込口は、アース付きの単相の差込口となっている。各差込口は、電源コード４の端部に設けられたアース付きの単相の電源プラグ４１（図２参照）と電気的に接続されている。なお、コンセント本体７１の差込口及び電源コード４の電源プラグ４１は、例えばアース無しの単相の差込口及びプラグ、或いは三相の差込口及びプラグ等、他の構成を採用することもできる。コンセントケース７２は、コンセント本体７１の差込口を開放させつつコンセント本体７１部を覆っており、弾性変形可能かつ電気的絶縁性を有する材料からなる。
【００２９】
図４、図５に示すごとく、コンセントケース７２の開放部を閉塞することができるようにコンセントカバー７３が設けられている。コンセントカバー７３は、コンセントケース７２に対して脱着可能に設けられている。なお、挿入穴６０、当該挿入穴６０に係合される出力コンセント７、当該出力コンセント７を覆うコンセントカバー７３、及び当該コンセントカバー７３の後述の被取付部７３２を通す貫通孔６２０からなる組は合計で３組存在するが、互いに同様の構成を有するため特に断らない限り１つの組に着目して説明する。
【００３０】
コンセントカバー７３は、出力コンセント７の不使用時に出力コンセント７を覆うコンセントカバー本体７３１と、取付板６に取り付けられるリール回転方向Ｒに長尺状の被取付部７３２とを有する。
【００３１】
コンセントカバー７３のコンセントカバー本体７３１は、リブ６２に対する出力コンセント７側に配される。コンセントカバー本体７３１から延設された被取付部７３２は、リブ６２に設けられた貫通孔６２０を通って、リブ６２に対する反出力コンセント７側に延設されており、取付板６の基礎板部６１における、リブ６２に対する反出力コンセント７側の部位にボルト締結されている。基礎板部６１における被取付部７３２のボルト締結部の軸方向Ｘの両側には、被取付部７３２をボルト締結する際にボルトと被取付部７３２とが共回りすることを防止するための回転防止壁６１１が、被取付部７３２に沿って形成されている。
【００３２】
リブ６２の貫通孔６２０は、軸方向Ｘにおける出力コンセント７の中央部に対してリール回転方向Ｒに重なる位置に形成されている。図７に示すごとく、貫通孔６２０は、リール２の内周側（図７における右側）に向かって開放されており、これによって貫通孔６２０を形成するための金型を取付板６の厚み方向に抜けるようにしている。
【００３３】
図４、図５に示すごとく、軸方向Ｘにおける、各貫通孔６２０の両側には、リブ６２を補強するための補強部６２１が形成されている。補強部６２１は、リブ６２の両面に突出するとともに、取付板６の厚み方向に延在する凸条である。補強部６２１は、取付板６の基礎板部６１に連結している。
【００３４】
基礎板部６１における、リブ６２に対して３つのうちの１つのみの出力コンセント７が配された側には、基礎板部６１を貫通するとともに基礎板部６１の外周側に露出するパイロットランプ５１と接地端子５２とが配されている。パイロットランプ５１は、電源コード４から各出力コンセント７への給電が正常に行われている場合に点灯し、電源コード４から各出力コンセント７への給電が遮断されている場合に消灯するよう構成されている。接地端子５２は、電源プラグ４１のアース極と電気的に導通している端子である。接地端子５２は、出力コンセント７に接続される電気器具のプラグがアース極を有さないものである場合等に、電気器具のアースすべき部位と電気的に接続される部位である。
【００３５】
図４、図５に示すごとく、基礎板部６１における、リール回転方向Ｒの一端部には、コンセントモジュール５を覆うためのモジュールカバー５３が回動可能に取り付けられている。モジュールカバー５３は、電源コード４をリール２の胴部２１に巻回する際に、電源コード４が出力コンセント７及びコンセントカバー７３等に干渉しないようにする役割を有する。
【００３６】
図４、図１１に示すごとく、モジュールカバー５３の回転軸には、モジュールカバー５３を、コンセントモジュール５を覆う向きに付勢するためのねじりコイルバネ５４が設けられている。これにより、図１０に示すごとく、モジュールカバー５３は、恣意的な力が加わっていない状態においてはコンセントモジュール５を覆っている。
【００３７】
図４、図１１に示すごとく、モジュールカバー５３における基礎板部６１と取り付けられる側と反対側の端部は、内周側に向かって折曲された折曲部５３１となっている。図１２に示すごとく、折曲部５３１は、モジュールカバー５３を、コンセントモジュール５を露出させた状態で後述のフレーム３の把持部３１に引っ掛けることができるよう構成されている。これにより、電源コード４をすべてリール２から引き出して出力コンセント７に電気機器のプラグを差し込む際には、モジュールカバー５３をフレーム３の把持部３１に引っ掛けることでモジュールカバー５３が開いた状態を維持でき、出力コンセント７に電気機器のプラグを差し込みやすい。
【００３８】
図１〜図３に示すごとく、フレーム３は、リール２を回動可能に支持している。フレーム３は、下端部に形成された脚部３２と、上端部に形成された把持部３１と、リール２の回転の中心となる回転軸部３３と、を一体に有する。
【００３９】
脚部３２は、フレーム３の下端部に形成されており、コードリール１を地面等に置く際に地面等に当接する部位である。把持部３１は、リール２の上側の位置において軸方向Ｘに延在するよう形成されており、コードリール１の使用者がコードリール１を持ち運びする際に把持する部位である。回転軸部３３は、リール２を回動可能に支持している。
【００４０】
次に、本形態の作用効果につき説明する。
本形態のコードリール１は、胴部２１の外周部に形成された開口部２１０に取り付けられた取付板６、及び、電源コード４の他端が接続されるとともに取付板６に形成された複数の挿入穴６０に配された複数の出力コンセント７を有するコンセントモジュール５を備える。それゆえ、コンセントモジュール５を胴部２１に取り付けることにより、一度に複数の出力コンセント７を胴部２１に組み付けることができ、生産性の向上を図ることができる。
【００４１】
また、取付板６は、開口部２１０を胴部２１の外周側から塞ぐよう、胴部２１に取り付けられている。それゆえ、コンセントモジュール５を胴部２１の外側から組み付けることができ、生産性の向上を図りやすい。
【００４２】
ここで、単にコンセントモジュール５を胴部２１の外側から組み付けた場合、コンセントモジュール５が胴部２１から外周側に突出し過ぎてしまい、胴部２１への電源コード４の巻取りが阻害されるおそれがある。そこで、本形態においては、胴部２１の外周部に開口部２１０を設け、当該開口部２１０にコンセントモジュール５を組み付けている。これにより、コンセントモジュール５が胴部２１から外周側に突出し過ぎることを防止することができ、胴部２１への電源コード４の巻取りが阻害されることを防止することができる。
【００４３】
また、取付板６には、外周側に突出するとともに軸方向Ｘに延在するリブ６２が設けられており、複数の出力コンセント７は、リブ６２を間に介して、リール回転方向Ｒの両側に分かれて配されている。取付板６において、リブ６２の一方側のみに出力コンセント７を配するための挿入穴６０を形成した場合、取付板６の強度が低下しやすいが、本形態においては取付板６の強度を確保しやすい。
【００４４】
また、コンセントカバー７３の被取付部７３２は、リブ６２を挟んで出力コンセント７の反対側の取付板６の部位に固定されるとともに、リブ６２に設けられた貫通孔６２０を通ってリブ６２の出力コンセント７側に配されたコンセントカバー本体７３１に接続されている。それゆえ、各コンセントカバー７３をリール回転方向Ｒに延在するよう形成することができ、軸方向Ｘにより多くの出力コンセント７及びコンセントカバー７３を配置することができる。
【００４５】
また、コンセントモジュール５におけるリール回転方向Ｒの端部には、コンセントモジュール５を開閉可能なモジュールカバー５３が回動可能に取り付けられている。モジュールカバー５３は、コンセントモジュール５を覆う向きに付勢されており、かつ、コンセントモジュール５を露出させた状態でフレーム３における胴部２１の外周側において軸方向Ｘに形成された被係止部（本形態においては把持部３１）に係止することができる折曲部５３１を有する。それゆえ、コードリール１使用時において、出力コンセント７に電気器具等のプラグを差し込む際には、モジュールカバー５３の折曲部５３１をフレーム３の被係止部に係止することで、モジュールカバー５３が開いた状態を維持することができ、出力コンセント７に電気器具等のプラグを差し込みやすい。
【００４６】
以上のごとく、本形態によれば、生産性を向上させやすいコードリールを提供することできる。
【００４７】
本考案は、前記実施形態に限定されるものではなく、その要旨を逸脱しない範囲において種々の実施例に適用することが可能である。
【符号の説明】
【００４８】
１  コードリール
２  リール
２１  胴部
２１０  開口部
２２  側板部
３  フレーム
３１  把持部（被係止部）
４  電源コード
４１  電源プラグ
５  コンセントモジュール
５３  モジュールカバー
６  取付板
６０  挿入穴
６２  リブ
６２０  貫通孔
７  出力コンセント
７３  コンセントカバー
７３１  コンセントカバー本体
７３２  被取付部
Ｒ  リール回転方向
Ｘ  軸方向
【図１】
0003227253.tif 000003
【図２】
0003227253.tif 000004
【図３】
0003227253.tif 000005
【図４】
0003227253.tif 000006
【図５】
0003227253.tif 000007
【図６】
0003227253.tif 000008
【図７】
0003227253.tif 000009
【図８】
0003227253.tif 000010
【図９】
0003227253.tif 000011
【図１０】
0003227253.tif 000012
【図１１】
0003227253.tif 000013
【図１２】
0003227253.tif 000014